(57)【要約】【課題】突発的なトラヒック量の増加の予測やこれに基づく経路制御を実現する。【解決手段】所定の単位のパケットをネットワーク内の一のノードから他のノードまで一定の条件の下で転送させるパケット権に関する情報をパケット権ＤＢ４に登録することによりパケット権を発行し、パケット権を購入した利用者の端末装置１から送信されるパケットを当該パケット権に基づいてエッジルータ８−ネットワーク２経由で他の端末装置１に転送するシステムにおいて、トラヒック予測及び経路制御装置１００はパケット権ＤＢ４、ローカルＤＢ９からパケット権に関する情報を集計し、ネットワーク２を構成するルータやオペレーションシステムから経路情報を取得し、これらから経路上のリンク毎のパケット権の単位量を計算してトラヒックを予測する。【選択図】　　　　　　図１
2004056273.tif 000002
【特許請求の範囲】
【請求項１】
ネットワークサービス事業者が所定の単位のパケットをネットワーク内の一のノードから他のノードまで一定の条件の下で転送させる権利であるパケット権に関する情報をパケット権データベースに登録することによりパケット権を発行し、パケット権データベースに登録されたパケット権の所有者をネットワークサービス事業者から当該パケット権に対して対価を支払った利用者へ書き換えることによりパケット権を販売し、パケット権を所有する利用者が当該パケット権に基づき送信しもしくは受信するパケットの正当性を検証し、正当なパケットの転送を許可するとともにパケット権データベースに登録された当該パケット権に関する情報を変更もしくは削除することによりパケット権の行使を管理するパケット通信サービスシステムにおけるトラヒック予測装置であって、
パケット権に関する情報を集計する手段と、
ネットワークの経路情報を取得する手段と、
パケット権に関する情報と経路情報とから経路上のリンク毎のパケット権の単位量を計算する手段とを備えた
ことを特徴とするトラヒック予測装置。
【請求項２】
請求項１記載のトラヒック予測装置において、
パケット権の状態として、販売又は流通可能で行使不可の状態と、行使可能で販売又は流通不可の状態との２つの状態が設定される場合、パケット権に関する情報のうち、行使可能状態のパケット権に関する情報のみ抽出し、これと経路情報とから経路上のリンク毎のパケット権の単位量を計算する手段を備えた
ことを特徴とするトラヒック予測装置。
【請求項３】
ネットワークサービス事業者が所定の単位のパケットをネットワーク内の一のノードから他のノードまで一定の条件の下で転送させる権利であるパケット権に関する情報をパケット権データベースに登録することによりパケット権を発行し、パケット権データベースに登録されたパケット権の所有者をネットワークサービス事業者から当該パケット権に対して対価を支払った利用者へ書き換えることによりパケット権を販売し、パケット権を所有する利用者が当該パケット権に基づき送信しもしくは受信するパケットの正当性を検証し、正当なパケットの転送を許可するとともにパケット権データベースに登録された当該パケット権に関する情報を変更もしくは削除することによりパケット権の行使を管理するパケット通信サービスシステムにおける経路制御装置であって、
パケット権に関する情報を集計する手段と、
ネットワークの経路情報を取得する手段と、
パケット権に関する情報と経路情報とから経路上のリンク毎のパケット権の単位量を計算する手段と、
リンク容量を越える単位量のパケット権が関連するリンクを、リンク容量を越えない単位量のパケット権が関連する他のリンクまたはその組合せに切り替える経路切替手段とを備えた
ことを特徴とする経路制御装置。
【請求項４】
請求項３記載の経路制御装置において、
経路切替手段は、
リンク容量を越える単位量のパケット権が関連するリンクを抽出する手段と、
リンク容量を越える単位量のパケット権が関連するリンクを、リンク容量を越えない単位量のパケット権が関連する他のリンクまたはその組合せで置き換え可能かどうかを判定する手段と、
置き換え可能な場合、リンク容量を越える単位量のパケット権が関連するリンクを、リンク容量を越えない単位量のパケット権が関連する他のリンクまたはその組合せに切り替える手段とからなる
ことを特徴とする経路制御装置。
【請求項５】
請求項３記載の経路制御装置において、
パケット権の状態として、販売又は流通可能で行使不可の状態と、行使可能で販売又は流通不可の状態との２つの状態が設定される場合、
経路切替手段は、
リンク容量を越える単位量のパケット権が関連するリンクを抽出する手段と、
行使可能状態のパケット権に関する情報のみ抽出する手段と、
行使可能状態のパケット権の単位量が所定の閾値を越えたリンクがあるかどうかを判定する手段と、
所定の閾値を越えたリンクがある場合、所定の閾値を越えない他のリンクまたはその組合せで置き換え可能かどうかを判定する手段と、
置き換え可能な場合、所定の閾値を越えたリンクを、所定の閾値を越えない他のリンクまたはその組合せに切り替える手段とからなる
ことを特徴とする経路制御装置。
【請求項６】
ネットワークサービス事業者が所定の単位のパケットをネットワーク内の一のノードから他のノードまで一定の条件の下で転送させる権利であるパケット権に関する情報をパケット権データベースに登録することによりパケット権を発行し、パケット権データベースに登録されたパケット権の所有者をネットワークサービス事業者から当該パケット権に対して対価を支払った利用者へ書き換えることによりパケット権を販売し、パケット権を所有する利用者が当該パケット権に基づき送信しもしくは受信するパケットの正当性を検証し、正当なパケットの転送を許可するとともにパケット権データベースに登録された当該パケット権に関する情報を変更もしくは削除することによりパケット権の行使を管理するパケット通信サービスシステムにおけるトラヒック予測方法であって、
パケット権に関する情報を集計し、
ネットワークの経路情報を取得し、
パケット権に関する情報と経路情報とから経路上のリンク毎のパケット権の単位量を計算する
ことを特徴とするトラヒック予測方法。
【請求項７】
請求項６記載のトラヒック予測方法において、
パケット権の状態として、販売又は流通可能で行使不可の状態と、行使可能で販売又は流通不可の状態との２つの状態が設定される場合、
パケット権に関する情報のうち、行使可能状態のパケット権に関する情報のみ抽出し、これと経路情報とから経路上のリンク毎のパケット権の単位量を計算する
ことを特徴とするトラヒック予測方法。
【請求項８】
ネットワークサービス事業者が所定の単位のパケットをネットワーク内の一のノードから他のノードまで一定の条件の下で転送させる権利であるパケット権に関する情報をパケット権データベースに登録することによりパケット権を発行し、パケット権データベースに登録されたパケット権の所有者をネットワークサービス事業者から当該パケット権に対して対価を支払った利用者へ書き換えることによりパケット権を販売し、パケット権を所有する利用者が当該パケット権に基づき送信しもしくは受信するパケットの正当性を検証し、正当なパケットの転送を許可するとともにパケット権データベースに登録された当該パケット権に関する情報を変更もしくは削除することによりパケット権の行使を管理するパケット通信サービスシステムにおける経路制御方法であって、
パケット権に関する情報を集計し、
ネットワークの経路情報を取得し、
パケット権に関する情報と経路情報とから経路上のリンク毎のパケット権の単位量を計算し、
リンク容量を越える単位量のパケット権が関連するリンクを、リンク容量を越えない単位量のパケット権が関連する他のリンクまたはその組合せに切り替える
ことを特徴とする経路制御方法。
【請求項９】
請求項８記載の経路制御方法において、
リンク容量を越える単位量のパケット権が関連するリンクを抽出し、
リンク容量を越える単位量のパケット権が関連するリンクを、リンク容量を越えない単位量のパケット権が関連する他のリンクまたはその組合せで置き換え可能かどうかを判定し、
置き換え可能な場合、リンク容量を越える単位量のパケット権が関連するリンクを、リンク容量を越えない単位量のパケット権が関連する他のリンクまたはその組合せに切り替える
ことを特徴とする経路制御方法。
【請求項１０】
請求項８記載の経路制御方法において、
パケット権の状態として、販売又は流通可能で行使不可の状態と、行使可能で販売又は流通不可の状態との２つの状態が設定される場合、
リンク容量を越える単位量のパケット権が関連するリンクを抽出し、
行使可能状態のパケット権に関する情報のみ抽出し、
行使可能状態のパケット権の単位量が所定の閾値を越えたリンクがあるかどうかを判定し、
所定の閾値を越えたリンクがある場合、所定の閾値を越えない他のリンクまたはその組合せで置き換え可能かどうかを判定し、
置き換え可能な場合、所定の閾値を越えたリンクを、所定の閾値を越えない他のリンクまたはその組合せに切り替える
ことを特徴とする経路制御方法。
【請求項１１】
ネットワークサービス事業者が所定の単位のパケットをネットワーク内の一のノードから他のノードまで一定の条件の下で転送させる権利であるパケット権に関する情報をパケット権データベースに登録することによりパケット権を発行し、パケット権データベースに登録されたパケット権の所有者をネットワークサービス事業者から当該パケット権に対して対価を支払った利用者へ書き換えることによりパケット権を販売し、パケット権を所有する利用者が当該パケット権に基づき送信しもしくは受信するパケットの正当性を検証し、正当なパケットの転送を許可するとともにパケット権データベースに登録された当該パケット権に関する情報を変更もしくは削除することによりパケット権の行使を管理するパケット通信サービスシステムにおけるトラヒック予測装置をコンピュータ上で実現するトラヒック予測プログラムであって、
該プログラムは、コンピュータ上に、
パケット権に関する情報を集計する手段と、
ネットワークの経路情報を取得する手段と、
パケット権に関する情報と経路情報とから経路上のリンク毎のパケット権の単位量を計算する手段とを構成する
ことを特徴とするトラヒック予測プログラム。
【請求項１２】
請求項１１記載のトラヒック予測プログラムにおいて、
パケット権の状態として、販売又は流通可能で行使不可の状態と、行使可能で販売又は流通不可の状態との２つの状態が設定される場合、パケット権に関する情報のうち、行使可能状態のパケット権に関する情報のみ抽出し、これと経路情報とから経路上のリンク毎のパケット権の単位量を計算する手段を構成する
ことを特徴とするトラヒック予測プログラム。
【請求項１３】
ネットワークサービス事業者が所定の単位のパケットをネットワーク内の一のノードから他のノードまで一定の条件の下で転送させる権利であるパケット権に関する情報をパケット権データベースに登録することによりパケット権を発行し、パケット権データベースに登録されたパケット権の所有者をネットワークサービス事業者から当該パケット権に対して対価を支払った利用者へ書き換えることによりパケット権を販売し、パケット権を所有する利用者が当該パケット権に基づき送信しもしくは受信するパケットの正当性を検証し、正当なパケットの転送を許可するとともにパケット権データベースに登録された当該パケット権に関する情報を変更もしくは削除することによりパケット権の行使を管理するパケット通信サービスシステムにおける経路制御装置をコンピュータ上で実現する経路制御プログラムであって、
該プログラムは、コンピュータ上に、
パケット権に関する情報を集計する手段と、
ネットワークの経路情報を取得する手段と、
パケット権に関する情報と経路情報とから経路上のリンク毎のパケット権の単位量を計算する手段と、
リンク容量を越える単位量のパケット権が関連するリンクを、リンク容量を越えない単位量のパケット権が関連する他のリンクまたはその組合せに切り替える経路切替手段とを実現する
ことを特徴とする経路制御プログラム。
【請求項１４】
請求項１３記載の経路制御プログラムにおいて、
経路切替手段は、
リンク容量を越える単位量のパケット権が関連するリンクを抽出し、
リンク容量を越える単位量のパケット権が関連するリンクを、リンク容量を越えない単位量のパケット権が関連する他のリンクまたはその組合せで置き換え可能かどうかを判定する手段と、
置き換え可能な場合、リンク容量を越える単位量のパケット権が関連するリンクを、リンク容量を越えない単位量のパケット権が関連する他のリンクまたはその組合せに切り替える手段とからなる
ことを特徴とする経路制御プログラム。
【請求項１５】
請求項１３記載の経路制御プログラムにおいて、
パケット権の状態として、販売又は流通可能で行使不可の状態と、行使可能で販売又は流通不可の状態との２つの状態が設定される場合、
経路切替手段は、
リンク容量を越える単位量のパケット権が関連するリンクを抽出する手段と、
行使可能状態のパケット権に関する情報のみ抽出する手段と、
行使可能状態のパケット権の単位量が所定の閾値を越えたリンクがあるかどうかを判定する手段と、
所定の閾値を越えたリンクがある場合、所定の閾値を越えない他のリンクまたはその組合せで置き換え可能かどうかを判定する手段と、
置き換え可能な場合、所定の閾値を越えたリンクを、所定の閾値を越えない他のリンクまたはその組合せに切り替える手段とからなる
ことを特徴とする経路制御プログラム。
【請求項１６】
請求項１１乃至１５いずれか記載のプログラムを記録したことを特徴とするコンピュータ読み取り可能な媒体。
【発明の詳細な説明】
【０００１】
【発明の属する技術分野】
本発明は、パケット通信サービスシステムにおけるトラヒック予測技術及びこれに基づく経路制御技術に関するものである。
【０００２】
【従来の技術】
従来より、利用者がネットワークへ送信しもしくはネットワークから受信するパケットを、該ネットワークを管理・運営する事業者が利用者の支払う対価に応じて転送するパケット通信サービスシステムにおいて、パケットのトラヒック量（単位時間当たりのパケット数）を予測する技術は種々提案・実用化されている。また、予測結果のうち、長期的な予測結果は将来のネットワーク資源の設計・管理に活用されることが多いが、短期的な予測結果を利用して予測パケット量が容量を越えるリンクのパケットを別のリンクに迂回させる等のネットワークにおける経路制御を行う技術も開発されている。
【０００３】
【発明が解決しようとする課題】
しかし、従来のトラヒック予測は、過去に測定されたトラヒック量から将来のトラヒック量を予測するものであるため、確実性の高い予測、特に人気サイトへの集中アクセスのような突発的なトラヒック量の増加を予測することが困難であるという問題があった。
【０００４】
本発明は、インターネットに代表されるＴＣＰ／ＩＰなどのパケット通信サービスにおけるサービスの最小単位であるパケットを、その発信元及び転送先アドレス、使用期限、単位量等を限定して転送する権利（以下、パケット権と呼ぶ）を流通可能な商品として発行し、このパケット権に基づきパケットをネットワーク内で転送するパケット通信サービスシステムにおいて、当該パケット権の内容とともにその販売、流通状況等から、突発的なトラヒック量の増加の予測やこれに基づく経路制御を可能とすることを目的とする。
【０００５】
【課題を解決するための手段】
《パケット権の概念》
パケット権とは、パケット転送を行う通信サービスにおいて、データ転送の最小単位であるパケットを所定の単位、一定の条件のもとにネットワーク内のあるノードからノードに転送させ、送受する権利である。パケット権は、そのパケットを転送するネットワークサービス事業者によって最初に発行され、実際にパケットを送信しもしくは受信する利用者によって消費される。ここで、一定の条件とは、パケットの種類、使用期限（時間的な制約）及びネットワーク利用の基本契約の組み合わせであり、これをパケット権の属性と呼ぶ。
【０００６】
パケットの種類：宛先、用途、優先度など、パケットに記載可能な情報（実施の形態にて詳説）
使用期限　　　：ある時点から時点まで権利が有効といった使用期限の条件
基本契約　　　：パケット権を利用する利用者がネットワークサービス事業者との間で取り決めた基本的な接続契約の種類（例えば、ＡＤＳＬによる接続契約、モバイル機器による無線接続契約等（基本料金が異なる契約）の種類）
これらの組み合わせを属性として、パケット権の種類が識別される。
【０００７】
《パケット権の発行と売買》
パケット権はその属性（種類）毎に所定の単位（単位パケット数、一定時間で無限パケット数など）で発行・商品化され、売買することができる。また、売買については、ネットワークサービス事業者と利用者の間での直接取引の外、ネットワークサービス事業者と利用者の間に、飛行機などの乗り物や劇場のチケットの売買などの場合と同様な代理店が介在しても良い。
【０００８】
《パケット権の流通管理》
パケット権は、ネットワークサービス事業者のサーバで、権利の発行状態や有効性を管理しておく。この時、以下に示すような情報（レコード）を管理する。
【０００９】
パケット権の属性：上記記述参照
所有者　　　　　：現時点でその権利を所有する者の情報
状態　　　　　　：流通可能、行使可能な状態の区別など
ユニット　　　　：当該パケット権におけるパケットの管理単位とその数量サーバはそのデータベース上で、あるパケット権の単位に対して上記のレコード情報を管理しており、これが商品としてのパケット権の実態である。パケット権は、ネットワークサービス事業者によって発行された時点で、データベース上にこれらのレコードが登録され、パケット権が売買される度にその所有者が書き換えられる。
【００１０】
パケット権は、その時点の所有者によって自由に売ることができる。よって、発行元であるネットワークサービス事業者から販売代理店のような仲介業者を介してネットワークサービス利用者などの消費者に販売するといった一般の商品と同等の流通形態をとることができる。パケット権売買の際には、売り手であるパケット権所有者と買い手を確定させるために、個人を識別するためのＩＤと暗号技術などを用いた本人認証が必要である。
【００１１】
また、パケット権の状態が行使可能な状態である場合は、流通（所有者の変更）はできない。
【００１２】
《パケット権の行使及びその管理》
パケット権はその所有者によってのみ行使することができる。パケット権の行使により、その所有者は権利に指定された属性を持つパケットを送信しもしくは受信することができる。ネットワークサービス事業者は自ネットワークの入口（もしくは出口）にあたるパケット転送装置（エッジルータなど）で当該パケットの転送を検知し、パケット権が行使されたことを確認した上で、データベースから当該パケット権のレコードを削除する。
【００１３】
この際、パケット権の行使者がその所有者であることを確認するために、ＩＤと認証の技術が必要とされる。さらに、パケット権の行使を確認するために、ネットワークの入口（もしくは出口）において、パケット通過を捕捉し、パケット権のデータベースを更新する手順が必要とされる。
【００１４】
パケット権は行使されると実質的に消滅する。また、パケット権は行使可能状態でないと行使できない。パケット権を行使する際に、その状態が行使可能状態以外である場合は、データベースに対して状態の変更の要請を行わなければならない。状態変更は、パケット権の所有者の要求によりネットワークサービス事業者が実施するが、その際にも認証が必要である。また、ネットワークサービス事業者の許可がなければ、この状態の変更ができない場合がある。
【００１５】
《パケット権の価格》
パケット権の価格は売買の際に所有者によって決定することができる。パケット権発行元であるネットワークサービス事業者はパケット権の卸値を決め、市場に投入するが、それ以降の流通過程では、その時点での所有者によって価格を決定できる。価格を無料とすることで、パケット権の譲渡も可能となる。パケット権の売買の際には、データベースにおける所有者の書き換えが発生するため、必ずネットワークサービス事業者のサーバへのアクセスが発生する。
【００１６】
この時、ネットワークサービス事業者は、パケット権売買当事者に対して、その時点での参考価格の指標などの情報を与えたり、流通手数料を課金したりといった付加価値的な操作をすることも可能である。
【００１７】
《パケット権所有者の認証》
パケット権を流通もしくは行使する当事者は、個人を識別するためのＩＤを予めネットワークサービス事業者に登録する。公開鍵暗号技術を用いた認証と、発信者アドレスの情報を用いたパケット送信制限などによって権利の所有者と行使者、そして実際のパケットの通信者が一致することを確認する。
【００１８】
《トラヒック予測》
前述したパケット権に関する情報が管理され、パケット転送要求が発生することが予想されるネットワーク上の位置や期間（時間）が把握できることを利用して、長期的、短期的なトラヒック量を予測することが可能である。
【００１９】
《経路制御》
予測されたトラヒック量に基づき、パケット廃棄などの発生が予想されるリンクとそうでないリンクとの切り分けが可能となることを利用して、パケット廃棄などの発生が予想されるリンクを、そうでない他のリンクまたはその組合せに切り替える経路制御が可能である。
【００２０】
【発明の実施の形態】
本発明によるトラヒック予測及び経路制御装置を含むパケット通信サービスシステム全体の概略構成を図１に示す。図中、１は端末装置、２はネットワーク、３は利用者データベース、４はパケット権データベース、５はパケット権利用実績データベース、６はネットワーク資源データベース、７はサービス提供サーバ、８はエッジルータ、９はローカルデータベース（ＤＢ）、１００はトラヒック予測及び経路制御装置である。
【００２１】
端末装置１は、ネットワーク２を介して他の端末装置、サーバ等との間でパケット通信を行う。利用者データベース３、パケット権データベース４、パケット権利用実績データベース５、ネットワーク資源データベース６及びサービス提供サーバ７は、ネットワークサービス事業者が管理・運営するもので、エッジルータ８、ローカルデータベース９とともにパケット通信サービスを提供する。なお、図１では各データベースはネットワーク２を介してサーバ７に接続されているが、サーバ７に直接接続されていても良い。
【００２２】
エッジルータ８は端末装置１とネットワーク２との境界（利用者側と事業者側との境界）に設置され、ローカルデータベース９はエッジルータ８に接続されている。また、ローカルデータベース９は、後述するようにパケット権データベース４のレコードのコピーを保持する（なお、図１ではエッジルータ８及びローカルデータベース９をそれぞれ１つのみ示しているが、実際には利用者側と事業者側との境界毎に設置される。）。
【００２３】
トラヒック予測及び経路制御装置１００は、パケット権データベース４、パケット権利用実績データベース５及びローカルデータベース９からパケット権に関する情報を集計し、ネットワーク資源データベース６、ネットワーク２を構成するネットワーク装置（バックボーンルータ、エッジルータなど）もしくはネットワーク２のオペレーションシステムからネットワーク資源や経路情報を取得してトラヒック量を予測し、該予測結果に基づき、必要に応じてルータもしくはオペレーションシステムに経路切替を要求する。
【００２４】
以下、まず、パケット権を用いたパケット通信サービスシステムについて説明する。
【００２５】
図２はパケット通信サービスにおけるおおまかな流れと装置との対応関係を示すものである。
【００２６】
即ち、１．まず、利用者が利用者登録装置１０により利用者データベース３に登録し、２．次に、パケット権発行装置２０が各データベースの情報を元にパケット権の情報をパケット権データベース４に登録することによりパケット権を発行し、３．パケット権流通管理装置３０がパケット権データベース４に登録されたパケット権の所有者を、その対価を支払った利用者に書き換えることにより販売し、４．さらに、パケット権行使管理装置４０がパケット権に基づくパケットの送信もしくは受信を実行するとともにパケット権データベース４に登録された当該パケット権に関する情報を変更もしくは削除する。
【００２７】
なお、利用者登録装置１０、パケット権発行装置２０、パケット権流通管理装置３０はサービス提供サーバ７に実装され、また、後述するようにパケット権行使管理装置４０は端末装置１、サーバ７及びエッジルータ８の３つに分散して実装される。
【００２８】
１．利用者登録
パケット権を購入し又は流通させもしくは行使する利用者は、予め利用者登録を行う。
【００２９】
図３は利用者登録装置１０の詳細を示すもので、図中、１１は利用者情報登録部、１２は利用者ＩＤ付与部、１３は通信部である。
【００３０】
利用者情報登録部１１は、利用者の端末装置からの登録要求を通信部１３を介して受け付け、送られてきた利用者情報を利用者データベース３に登録し、さらに利用者ＩＤ付与部１２に利用者ＩＤ、パスワードなどの付与を要求し、これを利用者データベース３の同一レコードに登録するとともに通信部１３を介して利用者の端末装置へ返送する。利用者ＩＤ付与部１２は、利用者情報登録部１１からの要求に従って、利用者ＩＤ、パスワード、必要であれば所有者署名情報を生成する。
【００３１】
２．パケット権の発行
図４はパケット権の発行・管理の概略を示すもので、パケット権の発行はパケット権の最初の発行元であるネットワークサービス事業者の管理・運営するパケット権発行装置が、同ネットワークサービス事業者の管理・運営するパケット権データベース４にパケット権の属性、所有者、状態の情報を、パケット権を識別するＩＤとともに登録・管理することによって実現される。パケット権の属性とは、パケットの種類、権利使用期限、基本契約種別の３種類の情報から構成される。表１に各々の情報についての詳細を示す。
【００３２】
【表１】
2004056273.tif 000003
【００３３】
実装では、表１に示されるような情報は、図４に示すようにパケット権データベース４におけるレコード情報として登録され、管理される。これらの情報が登録されることによってパケット権が発行される。
【００３４】
図４において、パケット権のレコードは、パケット権（の識別子）、権利ＩＤ、属性、所有者（の識別子）、状態、ユニット、オプションとしての行使者の位置情報とからなっている。なお、後述するように、流通（販売）や状態変更の要求が発生すると、レコード情報のうち、所有者あるいは状態のフィールドが書き換えられる。
【００３５】
図５はパケット権発行装置２０の詳細を示すもので、図中、２１はパケット権品目決定部、２２はパケット権発行量決定部、２３はパケット権価値指標決定部、オペレータ入力部である。
【００３６】
パケット権品目決定部２１は、各データベース３〜６からネットワーク資源、既発行分のパケット権の状況、パケット権の利用実績、利用者などの情報を収集し、これらとオペレータ入力部２４からの入力情報とを基に、発行するパケット権の品目（内容）を決定する。パケット権発行量決定部２２は、前記同様の情報を基にパケット権の発行量を決定する。パケット権価値指標決定部２３は、前記同様の情報を基にパケット権の販売価格を決定し、既存の権利に対して矛盾がなければ、該決定したパケット権の情報をパケット権データベース４に登録する（なお、この際、状態は「流通中」とする。）。
【００３７】
図６にパケット権発行装置２０における処理の流れを示す。即ち、各データベースから情報を取得し（ｓ１）、発行するパケット権の品目（内容）を決定し（ｓ２）、パケット権の発行量を決定し（ｓ３）、パケット権の販売価格を決定し（ｓ４）、さらに既存の権利に対して矛盾がないかを調べ（ｓ５）、矛盾があればｓ２に戻り、矛盾がなければ、該決定したパケット権の情報をパケット権データベース４に登録する（ｓ６）。
【００３８】
３．パケット権の流通（販売）管理
図７はパケット権流通管理装置３０の詳細を示すもので、図中、３１は利用者及びパケット権所有者認証装置、３２は電子決済部、３３はパケット権所有者変更手続部、３４はトランザクション管理部、３５はオペレータ入力部、３６はＷＷＷインタフェース、３７はＩＣカード等である。
【００３９】
利用者及びパケット権所有者認証装置３１は、パケット権の購入を希望する利用者及びパケット権の所有者の変更を要求する一の利用者及び当該一の利用者よりパケット権を有償もしくは無償で譲り受ける他の利用者を利用者データベース３に基づき認証するとともに、一の利用者が当該パケット権の所有者であることをパケット権データベース４に基づき認証する。
【００４０】
電子決済部３２は、認証された利用者との間で購入を希望するパケット権に対する対価の決裁を実行する。パケット権所有者変更手続部３３は、パケット権データベース４に登録されている決裁が終了したパケット権の所有者を事業者から当該利用者へ書き換え、また、所有者の変更が要求されたパケット権の所有者を一の利用者から他の利用者へ書き換える。
【００４１】
パケット権の流通（販売）形態には、一般の商品と同様な流通形態が存在して良く、大別すると以下の３通りが考えられる。
【００４２】
（ａ）パケット権の発行元であるネットワークサービス事業者と、パケット権を行使してパケットの送受を行う利用者（消費者）との直接売買（直販形式）。
【００４３】
（ｂ）パケット権の発行元から適当な単位でパケット権を買い取り、一般の利用者に販売する中間業者（仲介、販売代理業者）が存在する形態。
【００４４】
（ｃ）一般の利用者間で個人取引によってパケット権を売買（交換）する方式、オークションなどもこれに属する。
【００４５】
（ａ）、（ｂ）、（ｃ）の流通形態をアルゴリズム的に集約すれば、次のようになる。
【００４６】
アルゴリズム１：利用者によるパケット権購入要求と所有者変更の手順
アルゴリズム２：パケット権所有者による所有者変更要求と所有者変更の手順図８にパケット権流通管理装置における販売処理の流れを、また、図９にパケット権流通管理装置における所有者変更処理の流れをそれぞれ示す。
【００４７】
パケット権の販売処理は、次のように行われる。即ち、利用者からの購入要求を受け付け（ｓ１１）、該利用者の本人認証を行い（ｓ１２）、該利用者が登録済みであれば（ｓ１３）、所定の電子決済を実行し（ｓ１４）、該決裁が正常に行われれば（ｓ１５）、パケット権データベースの当該パケット権のレコードの所有者のフィールドを当該利用者に書き換え（ｓ１６）、その結果を利用者に通知する（ｓ１７）。
【００４８】
また、パケット権の所有者変更処理は、次のように行われる。即ち、所有者からの所有権の変更要求を受け付け（ｓ２１）、該所有者の本人認証及び所有者であるかの認証、並びに変更先の利用者が登録済みかの認証を行い（ｓ２２）、該所有者が登録済みでかつ所有者であり（ｓ２３）、変更先の利用者が登録済み（ｓ２４）であれば、さらに当該パケット権の状態が”流通中”かを確認する（ｓ２５）。
【００４９】
ここで、パケット権の状態が”流通中”であれば、必要に応じて電子決済を実行し（ｓ２６）、該決裁が正常に行われれば（ｓ２７）、パケット権データベースの当該パケット権のレコードの所有者のフィールドを所有者から変更先の利用者に書き換え（ｓ２８）、その結果を元の所有者及び変更先の利用者に通知する（ｓ２９）。
【００５０】
一方、パケット権の状態が”流通中”でなければ、さらに”流通中”に変更可能かを調べ（ｓ３０）、変更可能であれば、必要に応じて前記同様の電子決済を行い（ｓ２６，ｓ２７）、パケットフィルタ及びユニットカウンタ（後述する）からパケット権情報を消去し（ｓ３１）、パケット権データベースの当該パケット権のレコードのパケット権の状態を”流通中”に変更し（ｓ３２）、パケット権データベースとローカルデータベースを同期させ（ｓ３３）、その後、パケット権データベースの当該パケット権のレコードの所有者のフィールドを所有者から変更先の利用者に書き換え（ｓ２８）、その結果を元の所有者及び変更先の利用者に通知する（ｓ２９）。
【００５１】
４．パケット権の行使
図１０はパケット権行使管理装置４０の詳細を示すもので、端末装置に実装される端末装置部４１と、エッジルータに実装されるエッジ管理部４２と、サーバに実装される中央管理部４３とからなっている。
【００５２】
端末装置部４１において、４１１はパケットマーク部、４１２はパケット権行使指示部、４１３は通信戦略計画部、４１４は装置制御管理部（通信部）である。
【００５３】
パケットマーク部４１１は利用者の端末装置が所有するパケット権に合致するパケットを生成する。パケット権行使指示部４１２は端末装置におけるオペレータ入力１０１に従い、パケット権の行使を装置制御管理部４１４に指示する。通信戦略計画部４１３は、前述した指示が出された場合の各種の動作の設定（例えば、使用パケット権の決定を自動にするか手動にするかなど）を保持している。
【００５４】
装置制御管理部４１４は、前述した指示を受けて、端末装置のユーザデータベース１０２、ＩＣカード１０３やローカルデータベース９もしくはパケット権データベース４の情報に基づき、パケットマーク部４１１やエッジ管理部４２及び中央管理部４３の装置制御管理部と連携してパケット権を行使したパケット通信を実行する。
【００５５】
また、エッジ管理部４２において、４２１はパケットマーク部、４２２はパケット認証部、４２３はユニットカウンタ部、４２４はパケット権所有者認証部、４１４は装置制御管理部（通信部）である。
【００５６】
パケットマーク部４２１は、前記パケットマーク部４１１と同一である。パケット認証部４２２は、ネットワークに対して送出されたパケットがローカルデータベース９もしくはパケット権データベース４に登録されたパケット権に合致するかを照合する。パケット権所有者認証部４２３は、前記パケットを送信しもしくは受信する端末装置が当該パケット権を所有する利用者の端末装置であるかをローカルデータベース９もしくはパケット権データベース４及び利用者データベース３に基づいて認証する。ユニットカウンタ部４２４は、前記照合及び認証が得られたパケットの転送を許可するとともに転送されるパケットの単位をカウントする。装置制御管理部４１４は、各部と連携してパケット権の行使を管理する、即ちユニットカウンタ部４２４のカウント値がパケット権の所定の単位未満であればローカルデータベース９に登録された当該パケット権に関する情報中の単位を変更し、カウント値が当該パケット権の所定の単位に達した場合はパケットの転送を停止するとともにローカルデータベース９に登録された当該パケット権に関する情報を削除する。
【００５７】
また、中央管理部４３において、４３１はパケット権所有者認証部、４３２はパケット権状態管理部、４３３は装置制御管理部（通信部）である。
【００５８】
パケット権所有者認証部４３１は、前記パケット権所有者認証部４２３と同一である。パケット権状態管理部４３２は、パケット行使に関連してパケット権の状態変更要求が発生した場合、所定の認証を行った後、パケット権データベース４に対して状態の変更を実施する。装置制御管理部４３３は、端末装置部４１及びエッジ管理部４２の装置制御管理部と連携してパケット権を行使したパケット通信を管理する。
【００５９】
パケット権は、行使可能状態にある時、権利の所有者によって行使され、所有者はパケット権に相当するパケットを用いた通信が可能となる。実際に通信が行われると、相当する分のパケット権は消滅し、利用者によって消費されたことになる。パケット権を行使する場合、次の点が重要となる。
【００６０】
（ａ）パケット権が行使可能状態にあるかないかの確認（なければ行使可能状態への変更）
（ｂ）パケット権を所有している本人が、そのパケット権を使用して通信を行っているかの確認、行われている通信がパケット権の権利範囲（属性）に違反していないかの確認
（ｃ）ユニットが通信データ量や時間などで規定されたパケット権の場合、ユニットの消費の検知
図１１はパケット権を行使可能な状態に変更するようす（前記（ａ））を示すものである。
【００６１】
パケット権所有者はパケット権を行使し、実際に通信を行う際、そのパケット権の状態が”行使可能”状態以外であった場合（”流通中”）、その状態を”行使可能”に変更する必要がある。パケット権所有者は、パケット権行使管理装置４０の中央管理部４３に対して、パケット権の状態を変更し、行使可能な状態にする要求を出し（（１）パケット権のアクティベーション）、中央管理部４３では所有者の本人認証を行った後、認証が通れば、パケット権データベース４上の当該パケット権の状態を”行使可能”な状態に変更（図１１ではパケット権ＰＲ−Ａの状態を”流通中”から”行使可能”へ変更）する（（２）状態の変更）。この操作をパケット権のアクティベーションと呼ぶ。
【００６２】
この時、パケット権を用いて、パケットをネットワークに流入させる入口にあたるエッジルータ８に接続された、パケット権によって規定されるパケットをチェックするためのローカルデータベース９に当該パケット権の情報がコピーされ（（３）レコードのコピー）、データベースが同期される。
【００６３】
図１１のケースでは、パケット権所有者が送信者である場合を想定しているが、この場合は、パケット権所有者がパケットを送信しているかどうかを、このエッジルータ８に実装されたパケット権行使管理装置４０のエッジ管理部４２がチェックする。
【００６４】
図１２はパケット権の権利範囲及び所有者のチェックのようす（前記（ｂ））を示すものである。
【００６５】
エッジルータ８（のエッジ管理部４２）では、パケット権のアクティベーション時に同期されたローカルデータベース９を参照し、これに合致していないパケットについては廃棄し、合致するパケットについてはネットワーク内部に送出する。この時、パケット権所有者から送信されたパケットの内容に基づいて、このフィルタリングの判断を行う。
【００６６】
パケット権の属性については、パケットのヘッダ及びペイロードの属性の情報とローカルデータベースのレコードを照合することでチェックを行い、パケット権の所有者については、パケットのヘッダのソースアドレスでチェックを行う。より詳細なパケット権の所有者の照合を行うには、パケット権と本人を認証可能な公開鍵暗号を用いた電子署名を当該パケットのオプションヘッダ部に付加し、これをエッジルータ８（のエッジ管理部４２）で認証することにより、パケット権及びその所有者と同パケットの対応付けを確実なものとすることができる。
【００６７】
また、エッジルータ８へのアクセス回線５１が、所有者の端末装置１と一対一に対応付けられる場合は、エッジルータ８のインタフェースによって、パケット権所有者と行使者の一致性（本人のチェック）が確認できる。
【００６８】
図１３はパケット権のユニット消費のチェックのようすを示す（前記（ｃ））を示すものであり、また、図１４はエッジルータにおけるパケット権のユニット消費のチェック機構の詳細を示すものである。
【００６９】
パケット権データベースのレコードには、パケット権の単位を示すユニットの情報が記載されている。この情報を用いて、エッジルータ８（のエッジ管理部４２）では、行使されたパケット権の消費をカウントすることができる。図１１に示すように、パケット権が”行使可能”の状態になった時点で、パケット権データベース４から当該パケット権のレコード情報がローカルデータベース９のレコードにコピーされている。
【００７０】
この時、ユニットカウンタ４２４では、同パケット権のユニット情報を読み出して、タイマ、バイトカウンタ、パケットカウンタなどのサブモジュール群を組み合わせてユニット情報を処理できるカウンタを構成する。パケット権のユニット情報が、時間に関するものであればタイマを、バイト量に関するものであればバイトカウンタが利用される。
【００７１】
パケットフィルタ４２２では、ローカルデータベース９から属性や所有者ＩＤの情報が抽出され、対応するパケットの通過を管理する。この時、パケットの通過を検知した場合、ユニットカウンタ４２４にその情報を伝え、ユニットカウンタ４２４では、パケット権の消費をカウントする。パケット権データベース４とローカルデータベース９は通信部４２５で通信を行い、適当なタイミングで情報を同期する。
【００７２】
なお、これまでは、利用者の端末装置からパケットを送信する場合の行使について説明したが、利用者が所有するパケット権を事前に通信相手に譲渡しておくことにより、実質的に該利用者が所有するパケット権の行使によるパケットの受信を行うこともできる。
【００７３】
図１５は、ローカルデータベースとパケット権データベースの情報の同期のようすを示すもので、パケット権のレコードに関する情報の同期は、次に示すタイミングで実施される。
【００７４】
（１）パケット権の状態が変更された場合（流通中→行使可能、行使可能→流通中）
（２）ユニットが権利分全部消費された場合（権利消滅）
（３）パケット権発行元及び権利所有者から同期命令があった場合（強制同期）
（４）端末装置が移動した場合（ソースアドレス、エッジルータ変更に伴う）
このようにしてパケット権の行使における行使者と使用パケットそのもののチェックを実施することが可能である。
【００７５】
図１６にパケット権行使管理装置の端末装置部及び中央管理部における行使管理処理の流れを、図１７にパケット権行使管理装置のエッジ部における行使管理処理の流れをそれぞれ示す。
【００７６】
パケット権行使管理装置の端末装置部におけるパケット権の行使管理処理は、次のように行われる。即ち、ユーザデータベース及びローカルデータベース又はパケット権データベースから所有するパケット権の情報を取得し（ｓ４１）、自動もしくは手動で使用するパケット権を決定し（ｓ４２）、さらにそのパケット権が”行使可能”状態かどうかを調べ（ｓ４３）、”行使可能”状態で無ければ、中央管理部に”行使可能”状態への変更を要求する（ｓ４４）。
【００７７】
一方、”行使可能”状態である、もしくは中央管理部に状態変更を要求した結果として”行使可能”状態になった（ｓ４５）場合、さらに当該パケット権に合致するパケットを生成可能かどうかを調べ（ｓ４６）、生成可能でなければ、エッジ部にパケット生成の支援を依頼する（ｓ４７）。
【００７８】
パケット権に合致するパケットを生成可能、もしくはエッジ部にパケット生成の支援を依頼した結果として生成可能になった場合、当該パケット権に合致したパケットによる通信を開始するとともにこれをエッジ部に通知し（ｓ４８）、以後、当該パケット権が消滅する、あるいは必要なパケットの送出が終了するまで通信を続行する（ｓ４９）。
【００７９】
また、パケット権行使管理装置の中央管理部におけるパケット権の行使管理処理は、次のように行われる。即ち、端末装置部からパケット権の”行使可能”状態への変更要求を受け付けて利用者の本人認証を行い（ｓ５１）、要求元の利用者がパケット権所有者であり（ｓ５２）、かつ”行使可能”状態へ変更可能であれば（ｓ５３）、パケット権データベースの当該パケット権のレコードの状態フィールドを”行使可能”状態に書き換え（ｓ５４）、当該パケット権のレコードをローカルデータベースへコピーして情報を同期させ（ｓ５５）、さらにその結果を要求元の利用者に通知する（ｓ５６）。
【００８０】
なお、パケット権のレコードのローカルデータベースへのコピーは、図１７に示すように、要求元パケットによってエッジ部を特定し（ｓ５７）、該パケット権情報を当該エッジ部のローカルデータベースにコピーし（ｓ５８）、さらに当該パケット権情報の属性をパケットフィルタにセットするとともにユニット情報をユニットカウンタにセットする（ｓ５９）ことにより行われる。
【００８１】
また、パケット権行使管理装置のエッジ部におけるパケット権の行使管理処理は、次のように行われる。即ち、端末装置部からのパケットの生成依頼を受け付ける（ｓ６１）と、ローカルデータベースを参照して（ｓ６２）、依頼者の本人認証を行い（ｓ６３）、該依頼者がパケット権の所有者であれば（ｓ６４）、パケット権が有効で（ｓ６５）、かつ停止要求がない限り（ｓ６６）、指定されたパケットを生成しもしくはパケットのヘッダを書き換える（リラベリング）（ｓ６７）。
【００８２】
また、端末装置部から通信開始が通知された場合、到着したパケットがパケットフィルタにセットされているかを調べ（ｓ７１）、セットされていなければ当該パケットを廃棄し（ｓ７２）、さらに当該パケットを送信した者が所有者であるかを調べ（ｓ７３）、所有者でなければ（ｓ７４）パケットを廃棄する（ｓ７５）。
【００８３】
一方、到着したパケットがパケットフィルタにセットされており、その送信者が所有者であれば、当該パケットを通過させる（ｓ７６）とともに、ユニットカウンタで通過パケット量をカウントし（ｓ７７）、通過パケットユニット数をパケット権から減算する（ｓ７８）。
【００８４】
以上の処理をパケット権のユニットが尽きるまで繰り返し（ｓ７９）、ユニットが尽きた場合は、パケット権情報をパケットフィルタ及びユニットカウンタから消去し（ｓ８０）、さらにローカルデータベースの当該パケット権のユニット情報を「０」とするとともに、パケット権データベースをローカルデータベースと同期させる（ｓ８１）。
【００８５】
次に、これまで説明したパケット権を用いたパケット通信サービスシステムにおけるトラヒック予測及びこれに基づく経路制御について説明する。
【００８６】
図１８はトラヒック予測及び経路制御装置１００の詳細を示すもので、図中、１０１，１０２はパケット権情報集計部、１０３は経路情報取得部、１０４はトラヒック予測部、１０５はネットワーク装置管理制御部、１０６はネットワーク設計管理部、１０７はオペレータ入力部である。
【００８７】
パケット権情報集計部１０１は、ローカルデータベース９からパケット権に関する情報を集計する。パケット権情報集計部１０２は、利用者データベース３から利用者情報を集計し、パケット権データベース４からパケット権に関する情報を集計するとともに、パケット権利用実績データベース５からパケット権の利用実績ログを集計する。
【００８８】
経路情報取得部１０３は、ネットワーク資源データベース６、ネットワーク２を構成するルータもしくはネットワーク２のオペレーションシステムからネットワーク資源や経路情報を取得する。
【００８９】
トラヒック予測部１０４は、パケット権情報集計部１０１，１０２で集計したパケット権に関する情報、利用者情報及びパケット権の利用実績ログとともに、経路情報取得部１０３で取得したネットワーク資源や経路情報から、ネットワーク２における経路上のリンク毎のパケット権の単位量（ユニット量）を計算し、トラヒックの予測結果として出力する。
【００９０】
ネットワーク装置管理制御部１０５は、トラヒックの予測結果及びオペレータ入力部１０７からの入力情報とを基に、リンク容量を越えるユニット量のパケット権が関連するリンクを、リンク容量を越えないユニット量のパケット権が関連する他のリンクまたはその組合せに切り替える、もしくは行使状態への切替により、行使及び該当パケット権を利用した通信によって混雑が予測されるリンクに関して、同一リンクを利用する他のトラヒックを別の経路に回避させる等のネットワーク制御を実行する。
【００９１】
詳細には、リンク容量を越えるユニット量のパケット権が関連するリンクを抽出し、行使可能状態のパケット権に関する情報のみ抽出し、行使可能状態のパケット権のユニット量が所定の閾値を越えたリンクがあるかどうかを判定し、所定の閾値を越えたリンクがある場合、所定の閾値を越えない他のリンクまたはその組合せで置き換え可能かどうか、もしくは同一経路を通過する他のトラヒックが他の経路に回避できるかどうかを判定し、置き換え可能な場合、所定の閾値を越えたリンクを、所定の閾値を越えない他のリンクまたはその組合せに切り替える要求、もしくは閾値を越えるリンクを通過する他のトラヒックを他の経路に回避させる要求をネットワーク装置、即ちネットワーク２を構成するルータもしくはネットワーク２のオペレーションシステムに送出する。
【００９２】
ネットワーク設計管理部１０６は、トラヒックの予測結果及びオペレータ入力部１０７からの入力情報とを基に、将来のネットワーク設計に利用可能な情報を作成する。
【００９３】
図１９にトラヒック予測及び経路制御装置１００における処理の流れを示す。
【００９４】
即ち、まず、利用者データベース３、パケット権データベース４、パケット権利用実績データベース５及びローカルデータベース９からパケット権に関する情報を集計し（ｓ９１）、また、ネットワーク資源データベース６、ルータもしくはオペレーションシステムから経路情報を取得し（ｓ９２）、これらを基にネットワーク２における経路上のリンク毎のパケット権のユニット量を計算する（ｓ９３）。
【００９５】
次に、関連するパケット権のユニット量の多い順にリンクをソートし（ｓ９４）、リンク容量を越えるユニット量のパケット権が関連するリンクを抽出する（ｓ９５）。次に、パケット権データベース４及びローカルデータベース９から行使可能状態のパケット権に関する情報のみ抽出し（ｓ９６）、行使可能状態のパケット権のユニット量が所定の閾値を越えたリンクがあるかどうかを判定し（ｓ９７）、越えたリンクがない場合はステップｓ９６に戻る。
【００９６】
一方、閾値を越えたリンクがある場合、行使可能状態にあるパケット権のユニット量の多い順にリンクをソートし（ｓ９８）、閾値を越えないリンク抽出し（ｓ９９）、閾値を越えたリンクを、閾値を越えない他のリンクまたはその組合せで置き換え可能かどうかを判定し（ｓ１００）、置き換え可能でなければステップｓ９６に戻る。
【００９７】
また一方、置き換え可能であれば、ルータもしくはネットワーク２のオペレーションシステムに経路切替を指示し（ｓ１０１）、経路情報を更新する（ｓ１０２）。なお、以上述べた処理は定期的にリスタートされる。
【００９８】
図２０はトラヒック予測に基づく経路切替制御のようすを示すものである。即ち、例えばエッジルータＡ及びＤを送信元及び転送先アドレスとするパケット権が多数発行され、エッジルータＡ〜Ｄ間の基本経路（Ａ−ＢＲ１−ＢＲ３−ＢＲ４−Ｄ）並びにエッジルータＢ〜Ｃ間の基本経路（Ｂ−ＢＲ３−ＢＲ４−ＢＲ２−Ｃ）に含まれるバックボーンルータＢＲ３−ＢＲ４のリンクにおける行使可能状態のパケット権のユニット量が所定の閾値を越えた場合を考える。
【００９９】
この場合、ネットワーク装置管理制御部１０５は、エッジルータＢ及びＣを送信元及び転送先アドレスとする一部のパケットの経路を、エッジルータＢ〜Ｃ間の他の基本経路（Ｂ−ＢＲ３−ＢＲ１−ＢＲ２−Ｃ）に切り替えるように各ルータに対して指示・制御することにより、パケット廃棄の発生などを防止することができる。
【０１００】
【発明の効果】
以上説明したように、本発明によれば、サービスの最小単位であるパケットの転送を行うパケット権という新しい概念に基づいてパケット転送を行うパケット通信サービスシステムにおいて、当該パケット権の内容とともにその販売、流通状況等から、突発的なトラヒック量の増加の予測やこれに基づく経路制御を実現することが可能となる。
【図面の簡単な説明】
【図１】本発明装置を含むパケット通信サービスシステム全体の概略構成図
【図２】パケット通信サービスのおおまかな流れと装置との関係を示す説明図
【図３】利用者登録装置の詳細構成図
【図４】パケット権の発行・管理の概略を示す説明図
【図５】パケット権発行装置の詳細構成図
【図６】パケット権発行装置における処理の流れ図
【図７】パケット権流通管理装置の詳細構成図
【図８】パケット権流通管理装置における販売処理の流れ図
【図９】パケット権流通管理装置における所有者変更処理の流れ図
【図１０】パケット権行使管理装置の詳細構成図
【図１１】パケット権を行使可能な状態に変更するようすを示す説明図
【図１２】パケット権の権利範囲及び所有者のチェックのようすを示す説明図
【図１３】パケット権のユニット消費のチェックのようすを示す説明図
【図１４】エッジルータにおけるパケット権のユニット消費のチェック機構の詳細を示す説明図
【図１５】ローカルデータベースとパケット権データベースの情報の同期のようすを示す説明図
【図１６】パケット権行使管理装置の端末装置部及び中央管理部における処理の流れ図
【図１７】パケット権行使管理装置のエッジ部における処理の流れ図
【図１８】トラヒック予測及び経路制御装置の実施の形態の一例を示す構成図
【図１９】トラヒック予測及び経路制御装置における処理の流れ図
【図２０】トラヒック予測に基づく経路切替制御のようすを示す説明図
【符号の説明】
１：端末装置、２：ネットワーク、３：利用者データベース、４：パケット権データベース、５：パケット権利用実績データベース、６：ネットワーク資源データベース、７：サービス提供サーバ、８：エッジルータ、９：ローカルデータベース（ＤＢ）、１０：利用者登録装置、２０：パケット権発行装置、３０：パケット権流通管理装置、４０：パケット権行使管理装置、１００：トラヒック予測及び経路制御装置、１０１，１０２：パケット権情報集計部、１０３：経路情報取得部、１０４：トラヒック予測部、１０５：ネットワーク装置管理制御部、１０６：ネットワーク設計管理部、１０７：オペレータ入力部。
【図１】
2004056273.tif 000004
【図２】
2004056273.tif 000005
【図３】
2004056273.tif 000006
【図４】
2004056273.tif 000007
【図５】
2004056273.tif 000008
【図６】
2004056273.tif 000009
【図７】
2004056273.tif 000010
【図８】
2004056273.tif 000011
【図９】
2004056273.tif 000012
【図１０】
2004056273.tif 000013
【図１１】
2004056273.tif 000014
【図１２】
2004056273.tif 000015
【図１３】
2004056273.tif 000016
【図１４】
2004056273.tif 000017
【図１５】
2004056273.tif 000018
【図１６】
2004056273.tif 000019
【図１７】
2004056273.tif 000020
【図１８】
2004056273.tif 000021
【図１９】
2004056273.tif 000022
【図２０】
2004056273.tif 000023